(57)【要約】      （修正有）【課題】従来の解熱方法は、服薬と額又は頭、特に後頭部を冷やすことによって上昇した体温を解熱に導こうとするものであった。このため、小児や子供はじっとして寝ていられなかったり、多忙を極める現代の社会を背景に働く社会人等、風邪でも休息をとることの出来ない状況下でも、目立つことなく解熱に導く解熱用の冷却具を提供する。【解決手段】腋の下に冷却剤を当てて体温を下げる発熱時の体温の冷却具であって、吸水性を有する基材１と、前記冷却剤の保持部２からなり、前記基材は袈裟懸けにかけて保持するに必要な長さから成り、前記保持部は前記冷却剤を前記基材に保持する手段を備える。【選択図】図１
2009153950.tif 000002
【特許請求の範囲】
【請求項１】
風邪等に感染し体温が上昇した場合、腋の下付近に冷却材を当てて体温を下げる発熱時の冷却具で、吸水性を有する基材と、前記冷却材の保持部からなり、前記基材は使用すり人の身体に袈裟懸け状に保持するに必要な長さから成り、前記保持部は前記冷却材を前記基材に保持する手段を備えたことを特徴とする袈裟懸け状に用いる解熱用の冷却具。
【発明の詳細な説明】
【技術分野】
【０００１】  本発明は風邪等による体温の上昇、いわゆる発熱を解熱するための体温の冷却具に関するものである。
【背景技術】
【０００２】従来、風邪等で発熱した場合、解熱剤を服用したり、氷枕や氷嚢等で頭部を冷やしながら布団等に横たわって熱の下がるのと待っていた。
又、近年は額に貼って解熱するタイプの解熱シートが実用に供せられている。
【発明の開示】
【発明が解決しようとする課題】
【０００３】  上記に述べてように従来の解熱方法は、服薬と額又は頭、特に後頭部を冷やすことによって上昇した体温を解熱に導こうとするものであった。
このため、小児や子供はじっとして寝ていられなかったり、多忙を極める現代の社会を背景に働く社会人等、風邪でも休息をとることのできない状況でも、横になることなく、目立つことなく解熱に導く解熱用の冷却具を提供することである。
【課題を解決するための手段】
【０００４】  本発明によれば、腋の下に冷却材を当てて体温を下げる発熱時の体温の冷却具であって、吸水性を有する基材と、前記冷却材の保持部からなり、前記基材は袈裟懸けにかけて保持するに必要な長さから成り、前記保持部は前記冷却材を前記基材に保持する手段を備えたこである。【０００５】  尚、上記に言う前記保持部は前記冷却材を前記基材に保持する手段を備えたこである。とは、前記基材にカバー状の収納保持部を設け、又は、前記基材と前記冷却材を面ファスナーを用いて保持する、又はボタンを用いて保持する、又はズナップを用いて保持する、又は、粘着して保持する等を言うものである。
【発明の効果】
【０００６】  従って、本発明によれば、風邪等で体温が著しく上昇し、一般に発熱したと認識された祭、冷蔵庫等に入れて冷しておいた畜冷剤、又は、合成樹脂等の軟性容器樹に水等を封入してなる、冷却材２Ｂを基材１に設けたカバー状の保持部２に装入した後、腋の下付近の太い血管付近に冷却材２Ｂを保持した保持部２が接するように基材１を略袈裟懸けにかけて当て、基材１の両端を保持するればよく、服薬と併用させることも可能であるが、従来のよう額や頭、特に後頭部を冷やすことによって解熱に導こうとする方法と比べて、直接体内の太い血管を冷やすこで、額や頭、又後頭部と異なり、直接的冷却となるため下熱効果は抜群で有る。
更に、小児や子供はじっとして寝ていなくとも、常に冷却材２Ｂを腋の下に保持し続けることが出来るから、静かに横たわる必要もなく、又、多忙を極める現代の社会を背景に働く社会人等風邪でも、本発明の袈裟懸け状に用いる冷却具を着用すれば、横たわることなく、休息をとらなくとも解熱に導くことができる。
又この場合、洋服や上着等を着用してカバーすることにより、目立つことなく解熱に導くことができる等、風邪でも休息をとることのできない状況下で、横になることなく、目立つことなく解熱に導く解熱用の冷却具を提供することができる。
【発明を実施するための最良の形態】
【０００７】  吸水性を有する基材１の略中央付近に切り裂き３を設け、この切り裂き３を覆うようにガバー状の保持体２を形成し、更に、基材１の端部５の少なくとも一方の面に保持部材６を設け、他の端部４の少なくとも一方の面に保持部材７を設けてある。【０００８】  この時、基材１の長さは、基材１を袈裟懸けにかけて保持するに必要な長さから成り、カバー状の保持体２は冷却材２Ｂをカバー状の保持体２に装入保持した状態に於いて、柔軟に曲がる程度のゆるさに形成されることが望ましい。【０００９】  又、基材１の端部５と基材１の端部４を連結し保持する手段としては、面ファスナー、又はボタン、又はバックル、又はスナップ、又は鍵ホック、又はサスペンダー等に用いる握持具等でも良く、基材１を安定的の袈裟懸け状に維持することが望ましい。【００１０】  更に、保持体２に装入保持する冷却材２Ｂは解熱に必要な冷却力が必要であるため、保冷剤又は、水等を氷結させて用いても良く、複数の曲折部Ａ、Ａ、Ａ、Ａを介して複数の冷却部Ｓ、Ｓ、Ｓ、Ｓ、Ｓを形成する事も可能である。
【実施例】
【００１１】  以下、図面に基づいて本発明の実施例１を説明すると、図１、は本発明の実施例１を示す一部切り欠きの斜視図で、吸水性を有し、且つ、柔軟な素材、例えば布等を用いて帯状の基材１を形成し、この基材１の略中央付近に冷却材２Ｂを装入するための切り裂き３を設ける。【００１２】  更に、この切り裂き３を覆うようにガバー状の保持体２を逢着又は接着等によって形成し、中空状８を構成し、基材１の端部５の少なくとも一方の面に保持部材６を設け、更に、この保持部材６と連結するための保持部材７を基材１の他の端部４の少なくとも一方の面に設ける。
この時、基材１の長さは、解熱するために袈裟懸け状にかけて保持した状態に於いて、冷却材２Ｂが着用者の腋の下の皮膚下にある太い（大きい）血管又は、その付近に接するに必要な長さから成り、カバー状の保持体２は冷却材２Ｂを装入保持した状態に於いて、身体の曲面に沿ってある程度柔軟に曲がる様に形成する。【００１３】  従って、凍結することのない蓄冷剤等の冷却材２Ｂとして用いる場合は、棒状又は帯状に形成することも可能であるが、解熱にはかなりの冷却力が必要であるため、冷却材２Ｂを氷らせることも考慮して、図２のように複数の折曲部Ａ、Ａ、Ａ、Ａを介して複数の冷却部Ｓ、Ｓ、Ｓ、Ｓ、Ｓ、を形成することもできる。
この場合、折曲部Ａ、Ａ、Ａ、Ａは例えば、合成樹脂等を用いた袋状の容器であれば、溶着等によって冷却剤の内在しない部分、又は、他の部分より著しく少量が内在する程度に形成するとよい。【００１４】  又、基材１の端部５と基材１の端部４を繋ぎ止めるために、図１に於いては面ファスナーを用いているが、これはほんの一例を示すもので、この他に（図示しないが）ボタン、又はバックル、又はスナップ、又は鍵ホック、又はサスペンダー等に用いる握持具等でも良いことは言うまでも無い。【００１５】  従って、カバー状の保持体２の内部に冷却材２Ｂを装入した状態で袈裟懸け状に装着し解熱させようとする場合、冷却材２Ｂと保持体２と基材１の状態を側面から見ると、図３のように湾曲する。
又、基材１を袈裟懸け状に保持した着用者（罹病者）に、圧迫感や、嫌悪間を抱かせない程度であって、安定的に着用できることが望ましい。【００１６】  更に、基材１の幅は、例えば袈裟懸け状に基材１を保持した状態に於いて、着用者が腕を動かしたり、或いは体を捻ったり、曲げたりしても邪魔にならない程度の幅であるが望ましく、その上からパジャマや上着等を羽織っても目立たない程度であることが望ましい。【００１７】  上記の如くであるから、いま本発明の袈裟懸け状に用いる解熱用の冷却具を用いるには、風邪等に罹患して体温が上昇（発熱）した場合、予め冷蔵庫等を用いて冷却しておいた冷却材２Ｂを取り出し、切り裂き３を介してカバー状の保持体２の内部に装入する。
冷却材２Ｂが着用者の腋の下の皮膚下にある太い血管又は、その付近に接するように基材１の端部５と端部４を保持部材６、保持部材７を介して連結し基材１が袈裟懸け状になるように繋ぎ止める（図４）。
この時、保持部材６、保持部材７の長さ（距離）を充分に設けておけば、長さの調整が容易になることは言うまでもない。【００１８】  従って、基材１を袈裟懸け状に保持した着用者に、圧迫感や、嫌悪間を抱かせない程度に調整することで、安定的に着用でき、且つ、布団等に横たわった状態になくも確実に解熱の目的達することができると共に、上着やパジャマを羽織って腋の下腋の下の太い血管（太い動脈や静脈）を直接冷やすことによって上昇した体温を安定的、且つ、急速に冷却して解熱へと誘導することができる物である。
更に、基材１を袈裟懸け状に保持した状態に於いて、腕を動かしても邪魔になることはない。【００１９】  このため、寝ていることが苦手な小児等も体を起こした状態で、遊びながらでも（図４）解熱を図ることが可能であり、又、忙しい現代の人々も、仕事をしながらでも解熱へと導くことが可能となる、袈裟懸け状に用いる解熱用の冷却具を提供することができる。【００２０】  本発明の実施例２を図面に基づいて説明すると、図５は本実施例の袈裟懸け状に用いる解熱用の冷却具の一部切欠きの斜視図で、基材１に設けた切り裂き３に、ファスナー３Ｂを設けることも可能で、このファスナー３Ｂを開放して冷却材２Ｂを容易に装入することがぢきるから、この実施例に於いても実施例１と同様の作用及び効果を得る。【００２１】  本発明の実施例３を図面に基付いて説明すると、図６は本実施例の基材１の外側を示す一部削除の平面図で、基材１に設けて切り裂き３を覆うカバー材９を逢着等によって基材１の少なくとも片側の面に設けることも可能で、この場合の逢着は、カバー材９の長手方向の側部に逢着１０とし、更にカバー材９の端部を適宜な距離、逢着１１、１１しても良く、冷却材２Ｂの出し入れが容易な距離であることが望ましい。【００２２】  この実施例に於いても、基材１及び保持部２保持体６、及び保持体７は実施例１と同様であるから、実施例１と同様の作用、及び効果を得られ、袈裟懸け状に用いる解熱用の冷却具を提供することができる。【００２３】  実施例４を図７に基づいて説明すると、図７は基材の一部を削除した斜視図で、他の実施例では基材１に切り裂き３を設けているが、本実施例では切り裂き３にかえて、基材１の一方面に一端が開口状のカバー状Ｐとカバー状Ｒによって保持部２を形成してあり、このカバー状Ｐとカバー状Ｒが接する部分によって装入部３Ｃを形成してある。
この装入部３Ｃを形成するに当たっては、それぞれの端部（開口状）が若干重ね合わさるように形成しても良く（図７）、重ね合わさらなくとも良いが、冷却材２Ｂを装入しやすく、且つ、脱落しにくいことが望ましい。
この実施例に於いては、冷却材２Ｂを保持部２に装入、又は摘出する場合、装入部３Ｃが開口するように折り曲げることによって装入や摘出を容易にすることができる他、基材１の端部４及び端部５にはそれぞれ保持部材６、保持部材７が設けてあるから、他の実施例と同様の作用及び効果を得ることができる。【００２４】  図８、図９は本発明の実施例５を示面図で、図８は本実施例の展開状態を示す一部削除の平面図、図９は本実施例の一部削除の平面図で、一枚の布等から成る基材１の両側、折線Ｃ、折線Ｄから略中央方向に折り返した後、適宜位置から縫着Ｅ、逢着Ｅして保持部２を形成することもできる。
この場合、側部Ｌ、側部Ｍが若干重なり合って状態とすることも可能で、又、側部Ｌと側部Ｍが重なり合わなくともよいが、冷却材２Ｂを装入可能に形成してある。
従って、端部４と端部５結び合わせることにより、全体が輪状に形成されるから、袈裟懸け状に用いる解熱用の冷却具を構成することができるものである。
尚、略袈裟懸け状に装着する手段としては面ファスナー等で保持することも可能であることは言うまでもないが図９に於いては省略してある。
従って、本実施例に於いても、他の実施例と同様の作用及び効果を得る事ができる。【００２５】  実施例６を図面に基づいて説明すると、図１０は本実施例を示す一部削除の斜視図、図１１はこの実施例の冷却材２Ｂの斜視図で、基材１に複数の保持部２、２、２、２、２を形成することも可能で、複数の保持部２の適宜位置にはそれぞれ切り裂き状の装入部３が設けてある。
この場合、適宜位置とは、冷却材２Ｂを装入、又は、取り出す祭の作業を阻害しない位置である事を言う。
更に、基材１の面に若干のループ状に繊維が形成された素材を用いることにより、例えば、端部４に角形のリングＦを設けると共に、他の端部５には保持部材７として面ファスナーを設ける事も可能で、袈裟懸け状に装着する場合、リングＦに端部６を通過させた後、基材１を折り返して、保持部材７を介して保持することも可能であることは言うまでもない。【００２６】  又、この実施例で用いる冷却材２Ｂは小容量に分離した（図１１）冷却材２Ｂを複数個用いることで、解熱に必要な距離（体の大きさ等により）に応じて冷却材２Ｂの全体の長さを調節することもできる。
このため、痩身体、肥満体、小児、大人等、一つサイズで兼用することも可能である他、他の実施例と同様の作用と効果を得ることができる。【００２７】  実施例７を図１２、図１３に基づいて説明すると、図１２はこの実施例の基材１を示す一部削除の斜視図で、図１３はこの実施例の冷却材２Ｂを示す斜視図であり、少なくとも一方の面Ｋにループ状が形成された素材を用いて基材１を形成してもよく、この場合、冷却材２Ｂの面に面ファスナーのオス側、例えば面ファスナーのかぎ状の部材を設けることも可能で、必要に応じて基材１の面Ｋに冷却材２Ｂを着脱可能に保持することもできる。
この実施例に於いても、冷却材２Ｂの長さ（距離）を自在に調節することが可能なことは実施例６と同様であり角形のリングＦを基材１の端部４に設け、他の端部５に保持部材７として例えば面ファスナーのオス側を設けることができることは言うまでもない。
従って、本実施例に於いても、他の実施例と同様の作用及び効果を得ることができる。
【産業上の利用の可能性】
【００２８】  上述の如くであるから、本発明によれば、風邪等で体温が著しく上昇し、一般に発熱したと認識された祭、冷蔵庫等に入れて冷しておいた畜冷剤、又は、合成樹脂等の軟性容器樹に水等を封入してなる、冷却材２Ｂを基材１に設けたカバー状の保持部２に装入した後、腋の下付近の太い血管付近に冷却材２Ｂを保持した保持部２が接するように基材１を略袈裟懸けにかけて当て、基材１の両端を保持するればよく、服薬と併用させることも可能であるが、従来のよう額や頭、特に後頭部を冷やすことによって解熱に導こうとする方法と比べて、直接体内の太い血管を冷やすこで、額や頭、又後頭部と異なり、直接的冷却となるため下熱効果は抜群で有る。
更に、小児や子供はじっとして寝ていなくとも、常に冷却材２Ｂを腋の下に保持し続けることが出来るから、静かに横たわる必要もなく、又、多忙を極める現代の社会を背景に働く社会人等風邪でも、本発明の袈裟懸け状に用いる冷却具を着用すれば、横たわることなく、休息をとらなくとも解熱に導くことができる。
又この場合、洋服や上着等を着用してカバーすることにより、目立つことなく解熱に導くことができる等、風邪でも休息をとることのできない状況下で、目立つことなく解熱に導く解熱用の冷却具を提供することができる等、医療現場で、又は各家庭での解熱手段として極めて有用である。
【図面の簡単な説明】
【００２９】
【図１】本発明の袈裟懸け状に用いる解熱用の冷却具の実施例１を示す一部切欠きの斜視図である。
【図２】本発明の実施例１の冷却材を示す斜視図である。
【図３】本発明の袈裟懸け状に用いる解熱用の冷却具の実施例１を曲げた状態を示す側面図である。
【図４】本発明の袈裟懸け状に用いる解熱用の冷却具の実施例１を幼児が着用した状態を示す参考図である。
【図５】本発明の袈裟懸け状に用いる解熱用の冷却具の実施例２を示す一部切欠きの斜視図である。
【図６】本発明の袈裟懸け状に用いる解熱用の冷却具の実施例３を示す背面図である。
【図７】本発明の袈裟懸け状に用いる解熱用の冷却具の実施例４を示す一部切欠きの斜視図である。
【図８】本発明の袈裟懸け状に用いる解熱用の冷却具の実施例５を示す展開図である。
【図９】本発明の袈裟懸け状に用いる解熱用の冷却具の実施例５を示す平面図である。
【図１０】本発明の袈裟懸け状に用いる解熱用の冷却具の実施例６を示す斜視図である。
【図１１】本発明の袈裟懸け状に用いる解熱用の冷却具の実施例６の冷却材を示すを示す斜視図である。
【図１２】本発明の袈裟懸け状に用いる解熱用の冷却具の実施例７の基材を示す斜視図である。
【図１３】本発明の袈裟懸け状に用いる解熱用の冷却具の実施例７の冷却材を示す斜視図である。
【符号の説明】
【００３０】１  基材
２  保持体
２Ｂ  冷却材
３  装入部
３Ｂ  ファスナー
３Ｃ  装入部
４  端部
５  端部
６  保持部材
７  保持部材
８  中空
９  カバー材
１０  逢着
１１  逢着
Ａ  折曲部
Ｓ  冷却部
８  中空状
Ｃ  折線
Ｄ  折線
Ｅ  逢着
Ｆ  角形リング
Ｐ  カバー状
Ｒ  カバー状
Ｌ  側部
Ｍ  側部
Ｋ  面
【図１】
2009153950.tif 000003
【図２】
2009153950.tif 000004
【図３】
2009153950.tif 000005
【図４】
2009153950.tif 000006
【図５】
2009153950.tif 000007
【図６】
2009153950.tif 000008
【図７】
2009153950.tif 000009
【図８】
2009153950.tif 000010
【図９】
2009153950.tif 000011
【図１０】
2009153950.tif 000012
【図１１】
2009153950.tif 000013
【図１２】
2009153950.tif 000014
【図１３】
2009153950.tif 000015